(57)【要約】【課題】送信情報を変更することなく、ユーザの操作なしに関連広告情報を表示するテレビジョンシステム及びその情報表示方法を提供する。【解決手段】テレビジョンシステム１は、放送内容検出手部１１と、記憶部１２と、キーワード判断部１３と、関連広告情報取得部１４と、表示制御部１５とを備えている。放送内容検出手部１１は、テレビジョン受像機１０で視聴されている放送番組の放送内容から放送内容キーワードを検出する。記憶部１２は、照合キーワード及び照合キーワードに関連する関連広告情報を記憶している。キーワード判断部１３は、検出された放送内容キーワードと記憶される照合キーワードとが一致するか判断する。関連広告情報取得部１４は、放送内容キーワードと照合キーワードとが一致する場合、照合キーワードに関連する関連広告情報を取得する。表示制御部１５は、取得された関連広告情報をテレビジョン受像機１０の表示部１６に表示させる。【選択図】図２
2011188346.tif 000002
【特許請求の範囲】
【請求項１】
テレビジョン受像機で視聴されている放送番組の放送内容から放送内容キーワードを検出する放送内容検出手段と、
照合キーワード及び照合キーワードに関連する関連広告情報を記憶した記憶手段と、
前記放送内容検出手段により検出された放送内容キーワードと前記記憶手段に記憶される照合キーワードとに一致するものがあるかを判断するキーワード判断手段と、
前記キーワード判断手段により前記放送内容キーワードと前記照合キーワードとが一致すると判断された場合、当該照合キーワードに関連する関連広告情報を取得する関連広告情報取得手段と、
前記関連広告情報取得手段により取得された関連広告情報を、前記テレビジョン受像機の表示部に表示させる表示制御手段と、
を備えることを特徴とするテレビジョンシステム。
【請求項２】
前記放送内容検出手段は、前記放送番組の受信情報から音声情報を抽出し、抽出した音声情報を文字情報に変換することにより、放送内容キーワードを検出する
ことを特徴とする請求項１に記載のテレビジョンシステム。
【請求項３】
前記放送内容検出手段は、前記放送番組の受信情報から動画情報を抽出し、抽出した動画情報を画像解析することにより、放送内容キーワードを検出する
ことを特徴とする請求項１から請求項６のいずれか１項に記載のテレビジョンシステム。
【請求項４】
前記表示制御手段により表示された関連広告情報の商品について、購入手続きを行う商品購入手段を
さらに備えることを特徴とする請求項１から請求項８のいずれか１項に記載のテレビジョンシステム。
【請求項５】
テレビジョン受像機で視聴されている放送番組の放送内容から放送内容キーワードを検出する放送内容検出工程と、
前記放送内容検出工程において検出された放送内容キーワードと予め記憶される照合キーワードとに一致するものがあるかを判断するキーワード判断工程と、
前記キーワード判断工程において前記放送内容キーワードと前記照合キーワードとが一致すると判断された場合、当該照合キーワードに関連する関連広告情報を取得する関連広告情報取得工程と、
前記関連広告情報取得工程において取得された関連広告情報を、前記テレビジョン受像機の表示部に表示させる表示制御工程と、
を有することを特徴とするテレビジョンシステムの情報表示方法。
【発明の詳細な説明】
【技術分野】
【０００１】
本発明は、テレビジョンシステム及びその情報表示方法に関する。
【背景技術】
【０００２】
従来、放送番組の文字放送波にＵＲＬ（Uniform Resource Locator）を含めて送信し、テレビジョン受像機にてＵＲＬを表示するテレビジョンシステムが提案されている。このテレビジョンシステムでは、ユーザがテレビジョン受像機の表示部に表示されるＵＲＬを指定することにより、インターネットを介して接続されるサーバから、放送番組に対応した関連広告情報がテレビジョン受像機に送信される。テレビジョン受像機は、関連広告情報を受信すると、関連広告情報を表示部に表示する（特許文献１参照）。
【先行技術文献】
【特許文献】
【０００３】
【特許文献１】特開２００２−１１２２２９号公報
【発明の概要】
【発明が解決しようとする課題】
【０００４】
しかし、従来のテレビジョンシステムでは、テレビジョン受像機に送信する送信情報内にＵＲＬの情報を埋め込んでおく必要があると共に、関連広告情報の表示にはユーザの操作を必要としてしまう。
【０００５】
本発明はこのような従来の課題を解決するためになされたものであり、その目的とするところは、送信情報を変更することなく、ユーザの操作なしに関連広告情報を表示することが可能なテレビジョンシステム及びその情報表示方法を提供することにある。
【課題を解決するための手段】
【０００６】
本発明のテレビジョンシステムは、テレビジョン受像機で視聴されている放送番組の放送内容から放送内容キーワードを検出する放送内容検出手段と、照合キーワード及び照合キーワードに関連する関連広告情報を記憶した記憶手段と、放送内容検出手段により検出された放送内容キーワードと記憶手段に記憶される照合キーワードとに一致するものがあるかを判断するキーワード判断手段と、キーワード判断手段により放送内容キーワードと照合キーワードとが一致すると判断された場合、当該照合キーワードに関連する関連広告情報を取得する関連広告情報取得手段と、関連広告情報取得手段により取得された関連広告情報を、テレビジョン受像機の表示部に表示させる表示制御手段と、を備えることを特徴とする。
【０００７】
また、本発明のテレビジョンシステムにおいて、放送内容検出手段は、放送番組の受信情報から音声情報を抽出し、抽出した音声情報を文字情報に変換することにより、放送内容キーワードを検出することが好ましい。
【０００８】
また、本発明のテレビジョンシステムにおいて、放送内容検出手段は、放送番組の受信情報から動画情報を抽出し、抽出した動画情報を画像解析することにより、放送内容キーワードを検出することが好ましい。
【０００９】
また、本発明のテレビジョンシステムにおいて、表示制御手段により表示された関連広告情報の商品について、購入手続きを行う商品購入手段をさらに備えることが好ましい。
【００１０】
また、本発明のテレビジョンシステムの情報表示方法は、テレビジョン受像機で視聴されている放送番組の放送内容から放送内容キーワードを検出する放送内容検出工程と、放送内容検出工程において検出された放送内容キーワードと予め記憶される照合キーワードとに一致するものがあるかを判断するキーワード判断工程と、キーワード判断工程において放送内容キーワードと照合キーワードとが一致すると判断された場合、当該照合キーワードに関連する関連広告情報を取得する関連広告情報取得工程と、関連広告情報取得工程において取得された関連広告情報を、テレビジョン受像機の表示部に表示させる表示制御工程と、を有することを特徴とする。
【発明の効果】
【００１１】
本発明によれば、送信情報を変更することなく、ユーザの操作なしに関連広告情報を表示することができる。
【図面の簡単な説明】
【００１２】
【図１】本実施形態に係るテレビジョンシステムを示す構成図である。
【図２】図１に示したテレビジョン受像機の詳細を示す要部構成図である。
【図３】図２に示した記憶部により記憶される記憶内容を示す図であって、（ａ）はキーワードの記憶内容を示し、（ｂ）は関連広告情報の記憶内容を示している。
【図４】本実施形態に係るテレビジョンシステムの情報表示方法を示すフローチャートである。
【発明を実施するための形態】
【００１３】
以下、本発明の好適な実施形態を図面に基づいて説明する。図１は、本実施形態に係るテレビジョンシステム１を示す構成図である。図１に示すように、テレビジョンシステム１は、テレビジョン受像機１０、コントローラ２０、ルータ３０、インターネット４０、及びセンターサーバ５０を備えている。次に、各部について説明する。
【００１４】
テレビジョン受像機１０は、アンテナ等によって受信されるテレビジョン放送波を受信し、受信したテレビジョン放送波に基づく映像や音声を出力するものである。コントローラ２０は、イーサネット（登録商標）によりテレビジョン受像機１０に接続されると共に、センターサーバ５０とテレビジョン受像機１０とを接続する中継機器としての役割を果たすものである。ルータ３０は、コンピュータネットワークにおいてデータのやり取りを行うための中継機器であって、本実施形態ではテレビジョン受像機１０とセンターサーバ５０とのデータのやり取りを中継することとなる。インターネット４０は、インターネット・プロトコル技術を利用して相互接続されたコンピュータネットワークである。センターサーバ５０は、各種の情報を記憶した機器であって、本実施形態ではテレビジョン受像機１０側で表示するための情報を記憶している。
【００１５】
図２は、図１に示したテレビジョン受像機１０の詳細を示す要部構成図である。図２に示すように、テレビジョン受像機１０は、放送内容検出部（放送内容検出手段）１１と、記憶部（記憶手段）１２と、キーワード判断部（キーワード判断手段）１３と、関連広告情報取得部（関連広告情報取得手段）１４と、表示制御部（表示制御手段）１５と、表示部１６と、記憶情報更新部（記憶情報更新手段）１７と、商品購入部（商品購入手段）１８とを備えている。なお、上記構成のうち、表示部１６は例えば液晶ディスプレイで構成され、他の各部１１〜１５，１７，１８はＣＰＵ（Central Processing Unit）により構成される。
【００１６】
放送内容検出部１１は、テレビジョン受像機１０で視聴されている放送番組の放送内容から放送内容キーワードを検出するものである。具体的に放送内容検出部１１は、火事のニュースが放送されている場合に放送内容キーワードを「火事」と検出し、泥棒のニュースが放送されている場合に放送内容キーワードを「泥棒」と検出する。
【００１７】
この放送内容検出部１１は、放送番組の受信情報から文字放送情報を抽出することにより、放送内容キーワードを検出する。すなわち、放送内容検出部１１は、例えば文字多重放送の放送信号に含まれる文字コードから放送内容キーワードを検出する。また、放送内容検出部１１は、放送番組の受信情報からデータ放送情報を抽出することにより、放送内容キーワードを検出してもよい。この場合、放送内容検出部１１は、例えば地上波デジタル放送の番組視聴時に脇に映る各種情報などから放送内容キーワードを検出することとなる。
【００１８】
また、放送内容検出部１１は、放送番組に対応するワンセグ放送の字幕データ情報を抽出することにより、放送内容キーワードを検出してもよい。この場合、放送内容検出部１１は、テレビジョン受像機１０にて表示及び音声出力するための受信情報の他に、ワンセグ放送の字幕データ情報を別途受信して、放送内容キーワードを検出することとなる。また、放送内容検出部１１は、放送番組の受信情報からメタデータ情報を抽出することにより、放送内容キーワードを検出してもよい。この場合、放送内容検出部１１は、例えば地上波デジタル放送の番組解説などの各種情報から放送内容キーワードを検出することとなる。
【００１９】
さらに、放送内容検出部１１は、放送番組の受信情報から音声情報を抽出し、抽出した音声情報を文字情報に変換することにより、放送内容キーワードを検出してもよい。この場合、放送内容検出部１１は、受信情報に含まれる音声情報を認識して文字変換する機能を備える必要があり、この機能により放送内容キーワードを検出することとなる。加えて、放送内容検出部１１は、放送番組の受信情報から動画情報を抽出し、抽出した動画情報を画像解析することにより、放送内容キーワードを検出してもよい。この場合、放送内容検出部１１は、例えば火事などの動画を画像解析して火事のニュースが放送されているなど放送内容キーワードを検出することとなる。
【００２０】
記憶部１２は、照合キーワード及び照合キーワードに関連する関連広告情報を記憶したものである。照合キーワードは、放送内容キーワードと対比されるものである。図３は、図２に示した記憶部１２により記憶される記憶内容を示す図であって、（ａ）はキーワードの記憶内容を示し、（ｂ）は関連広告情報の記憶内容を示している。
【００２１】
図３（ａ）に示すように、記憶部１２は照合キーワードを一覧形式で記憶している。具体的に記憶部１２は、例えば「火事」「泥棒」などの照合キーワードを一覧形式で記憶している。また、図３（ｂ）に示すように、照合キーワードに関連する関連広告情報等を照合キーワードと対比させて記憶している。具体的に記憶部１２は、「火事」について「火災警報器」という関連広告情報を記憶し、「泥棒」について「窓センサ」という関連広告情報を記憶している。
【００２２】
また、図３（ｂ）に示すように、記憶部１２は、詳細情報とＵＲＬとを記憶している。具体的に記憶部１２は、ＰＮＧ（Portable Network Graphics）等の画像情報を詳細情報として記憶しており、ＵＲＬを関連広告情報の取得先の情報として記憶している。なお、詳細情報は画像情報に代えて、Ａｊａｘ（Asynchronous JavaScript + XML）（登録商標）などのスクリプトで動きがある画像情報であってもよい。
【００２３】
再度、図２を参照する。キーワード判断部１３は、放送内容検出部１１により検出された放送内容キーワードと記憶部１２に記憶される照合キーワードとに一致するものがあるかを判断するものである。
【００２４】
関連広告情報取得部１４は、キーワード判断部１３により放送内容キーワードと照合キーワードとが一致すると判断された場合、当該照合キーワードに関連する関連広告情報を取得するものである。この関連広告情報取得部１４は、例えば図３（ｂ）を参照して説明したＵＲＬに基づいて、センターサーバ５０から関連広告情報を取得することとなる。
【００２５】
表示制御部１５は、関連広告情報取得部１４により取得された関連広告情報を、テレビジョン受像機１０の表示部１６に表示させるものである。この際、表示制御部１５は、既に放送している放送番組と取得した関連広告情報とを２画面に分けて表示させたり、関連広告情報をピクチャー・イン・ピクチャー方式で表示させたりする。なお、表示制御部１５は、関連広告情報を表示する場合、放送番組の映像表示サイズよりも縮小した画像表示サイズで関連広告情報を表示することが望ましい。
【００２６】
記憶情報更新部１７は、記憶部１２により記憶された照合キーワード及び照合キーワードに関連する関連広告情報について更新するものである。この記憶情報更新部１７は、例えばユーザからのキーワードの入力により、記憶された照合キーワードを更新する。この場合、記憶情報更新部１７は、入力されたキーワードに関連する関連広告情報、及び関連広告情報の取得先のＵＲＬ等をセンターサーバ５０から取得し、記憶部１２に記憶させることとなる。また、記憶情報更新部１７は、動的に自らキーワードを更新し、更新したキーワードに関連する関連広告情報、及び関連広告情報の取得先のＵＲＬ等をセンターサーバ５０から取得してもよい。この場合、記憶情報更新部１７は、例えば放送内容検出部１１により検出された放送内容キーワードのうち、検出頻度が所定値よりも高いものを自動的に更新する。
【００２７】
商品購入部１８は、表示制御部１５により表示された関連広告情報の商品について、購入手続きを行うものである。一例を挙げると、表示制御部１５が関連広告情報の商品について購入手続きをするための購入ボタン等を表示し、ユーザが表示部１６に表示される購入ボタン等を指定する。これにより購入手続きが開始し、ユーザが各種事項を入力や指示していくことにより、商品購入部１８は入力内容や指示内容をセンターサーバ５０側に送信し、商品の購入を行うこととなる。
【００２８】
なお、上記実施形態においてテレビジョン受像機１０は、各部１１〜１８を備えているが、これらのうち一部はコントローラ２０側に内蔵されていてもよい。また、上記各部１１〜１８に対応する機能をテレビジョン受像機１０が備えない場合、すなわち上記各部１１〜１８機能を実行するスクリプトをテレビジョン受像機１０が備えない場合、コントローラ２０又はセンターサーバ５０から各部１１〜１８の機能に対応するスクリプトをテレビジョン受像機１０にダウンロードさせるようにしてもよい。
【００２９】
また、キーワードはテレビジョン受像機１０のスクリプトに設定されていてもよいし、記憶情報更新部１７によりセンターサーバ５０から更新されるようになっていてもよいし、記憶情報更新部１７を介してユーザから入力されるようになっていてもよい。
【００３０】
また、上記において関連広告情報は、テレビジョン受像機１０のスクリプトに設定されていてもよいし、コントローラ２０に保持されていてもよい。さらに、関連広告情報は、センターサーバ５０に保持されていてもよいし、スクリプト、コントローラ２０及びセンターサーバ５０に分散的に保持されていてもよい。加えて、関連広告情報がスクリプト及びコントローラ２０にて保持されている場合、記憶情報更新部１７によりセンターサーバ５０から更新されるようになっていてもよい。
【００３１】
また、上記においてＵＲＬはテレビジョン受像機１０のスクリプトに設定され、テレビジョン受像機１０において関連広告情報が取得されているが、これに限らず、スクリプトはコントローラ２０に保持され、コントローラ２０にて関連広告情報が取得されてもよい。さらに、ＵＲＬはセンターサーバ５０に蓄積され、テレビジョン受像機１０がセンターサーバ５０にキーワードの情報を送信することにより、センターサーバ５０が関連広告情報を取得してもよい。加えて、上記ＵＲＬの記憶箇所とＵＲＬに基づく関連広告情報の取得先がテレビジョン受像機１０、コントローラ２０及びセンターサーバ５０で分散されていてもよい。
【００３２】
また、記憶部１２は、図３に示すように、照合キーワードと関連広告情報とを別々のテーブルで記憶しているが、これに限らず、１つのテーブルで記憶していてもよい。
【００３３】
次に、本実施形態に係るテレビジョンシステムの情報表示方法について説明する。図４は、本実施形態に係るテレビジョンシステムの情報表示方法を示すフローチャートである。図４に示すように、まずテレビジョン受像機１０の放送内容検出部１１は、放送番組の放送内容から放送内容キーワードを検出する（Ｓ１）。この際、放送内容検出部１１は、放送番組の受信情報から文字放送情報を抽出したり、データ放送情報を抽出したりする。また、放送内容検出部１１は、放送番組に対応するワンセグ放送の字幕データ情報を抽出したり、放送番組の受信情報からメタデータ情報を抽出したりしてもよい。さらに、放送内容検出部１１は、放送番組の受信情報から音声情報を抽出して、抽出した音声情報を文字情報に変換したり、動画情報を抽出して、抽出した動画情報を画像解析したりしてもよい。
【００３４】
次いで、キーワード判断部１３は、ステップＳ１において検出された放送内容キーワードに一致する照合キーワードがあるか否かを判断する（Ｓ２）。放送内容キーワードに一致する照合キーワードがないと判断した場合（Ｓ２：ＮＯ）、処理はステップＳ１に移行する。一方、放送内容キーワードに一致する照合キーワードがあると判断した場合（Ｓ２：ＹＥＳ）、関連広告情報取得部１４は、一致する照合キーワードに関連する関連広告情報を取得する（Ｓ３）。この際、関連広告情報取得部１４は、記憶部１２に記憶されるＵＲＬに基づいて関連広告情報を取得する。
【００３５】
その後、表示制御部１５は、関連広告情報を放送番組と同時に表示させる（Ｓ４）。これにより、ユーザは操作を行うことなく関連広告情報を見ることができる。この際、表示制御部１５は購入ボタン等を表示し、ユーザが購入ボタン等を指示することにより購入手続を行うことができる。
【００３６】
このようにして、本実施形態に係るテレビジョンシステム１及びその情報表示方法によれば、テレビジョン受像機１０で視聴されている放送番組の放送内容から放送内容キーワードを検出する。このため、テレビジョン受像機１０に送信される送信情報に変更なく、放送内容から放送内容キーワードを検出することとなる。また、検出された放送内容キーワードと予め記憶された照合キーワードとに一致するものがあるかを判断し、放送内容キーワードと照合キーワードとが一致すると判断された場合、照合キーワードに関連する関連広告情報を取得する。このように、キーワードの一致判断を行うことによりユーザの操作を要することなく関連広告情報が取得される。そして、関連広告情報をテレビジョン受像機１０の表示部１６に表示させる。このため、ユーザは、操作を行うことなく関連広告情報を見ることができる。従って、送信情報を変更することなく、ユーザの操作なしに関連広告情報を表示することができる。
【００３７】
また、放送番組の受信情報から文字放送情報を抽出することにより、放送内容キーワードを検出する。このため、例えば文字多重放送の放送信号に含まれる文字コードから放送内容キーワードを検出することができ、送信情報を変更することなく放送内容キーワードを検出することができる。
【００３８】
また、放送番組の受信情報からデータ放送情報を抽出することにより、放送内容キーワードを検出する。このため、例えば地上波デジタル放送の番組視聴時に脇に映る各種情報などから放送内容キーワードを検出することができ、送信情報を変更することなく放送内容キーワードを検出することができる。
【００３９】
また、放送番組に対応するワンセグ放送の字幕データ情報を抽出することにより、放送内容キーワードを検出する。このため、ワンセグ方法の字幕データにより放送内容キーワードを検出することができ、送信情報を変更することなく放送内容キーワードを検出することができる。
【００４０】
また、放送番組の受信情報からメタデータ情報を抽出することにより、放送内容キーワードを検出する。このため、例えば地上波デジタル放送の番組解説などの各種情報から放送内容キーワードを検出することができ、送信情報を変更することなく放送内容キーワード検出することができる。
【００４１】
また、放送番組の受信情報から音声情報を抽出し、抽出した音声情報を文字情報に変換することにより、放送内容キーワードを検出する。このため、受信情報に含まれる音声情報を認識して文字変換することにより、放送内容キーワードを検出することができ、送信情報を変更することなく放送内容キーワードを検出することができる。
【００４２】
また、放送番組の受信情報から動画情報を抽出し、抽出した動画情報を画像解析することにより、放送内容キーワードを検出する。このため、例えば火事などの動画を画像解析して火事のニュースが放送されているなど放送内容キーワードを検出することができ、送信情報を変更することなく放送内容キーワードを検出することができる。
【００４３】
また、記憶された照合キーワード及び照合キーワードに関連する関連広告情報について更新する記憶情報更新部１７をさらに備えるため、ユーザの好みやユーザに提供したい内容などを照合キーワードや関連広告情報に反映させることができ、より効果的な情報提供を行うことができる。
【００４４】
また、表示された関連広告情報の商品について、購入手続きを行う商品購入部１８をさらに備えるため、ユーザが関連広告情報の商品について興味を持った場合に別途検索して購入する手間が無く、利便性を向上させることができる。
【００４５】
以上、実施形態に基づき本発明を説明したが、本発明は上記実施形態に限られるものではなく、本発明の趣旨を逸脱しない範囲で、変更を加えてもよい。
【００４６】
例えば、上記実施形態において、関連広告情報は表示部１６に必ず表示されるとは限らず、選択的又はユーザの操作によって、非表示とされてもよい。また、関連広告情報は音声なしでユーザに提示されることが前提であるが、これに限らず、音声も含めて提示されるようになっていてもよい。さらに、テレビジョン受像機１０は、コントローラ２０と別体であるが、一体となっていてもよい。
【符号の説明】
【００４７】
１…テレビジョンシステム
１０…テレビジョン受像機
１１…放送内容検出部（放送内容検出手段）
１２…記憶部（記憶手段）
１３…キーワード判断部（キーワード判断手段）
１４…関連広告情報取得部（関連広告情報取得手段）
１５…表示制御部（表示制御手段）
１６…表示部
１７…記憶情報更新部（記憶情報更新手段）
１８…商品購入部（商品購入手段）
２０…コントローラ
３０…ルータ
４０…インターネット
５０…センターサーバ
【図１】
2011188346.tif 000003
【図２】
2011188346.tif 000004
【図３】
2011188346.tif 000005
【図４】
2011188346.tif 000006